(57)【要約】  本発明は、第１タービン（２）および第２タービン（３）を備えたタービンセットに関し、第１タービン（２）は、第１ケース（８）内で突き出されるように支持された第１シャフト（７）と、第１ロータ羽根（Ｐ１）が設けられ、第１シャフト（７）の遠位端部（６）に接合された第１ロータ（５）とを備え、第２タービン（３）は、第２ケース（１６）内で突き出されるように支持された第２シャフト（１５）と、第２ロータ羽根（Ｐ２）が設けられ、第２シャフト（１５）の遠位端部（１４）に接合された第２ロータ（１３）とを備える。第１ロータ（５）の第１前面（２１）は、第２ロータ（５）の第２前面８２２）に面する。タービン列（１）は、回転を第１シャフト（７）から第２シャフト（１５）、第２シャフト（１５）から第１シャフト（７）に伝達する為に第１前面（２１）および第２前面（２２）に連結された連結要素（４）を備える。この連結要素（４）は、少なくとも一つの弾性ジョイント（２４）を備え、この弾性ジョイント（２４）は、互いにおいて、第１タービン（２）および第２タービン（３）のロータ動力学的影響を最小限に抑えるように構成されている。【選択図】  図１
2019525052.tif 000002
【特許請求の範囲】
【請求項１】
第１タービン（２）、第２タービン（３）を備えたタービンセットにおいて、
前記第１タービン（２）は、
第１ケース（８）、前記第１ケース（８）内に支持された第１シャフト（７）、前記第１シャフト（７）および前記第１ケース（８）の間に径方向に入れられ、第１主軸（Ｘ１）を中心とした前記第１ケース（８）に対して前記第１シャフト（７）の自由回転を可能にするように構成された第１支持要素（９）、第１ロータ羽根（Ｐ１）が設けられ前記第１シャフト（７）の遠位端部（６）に接合された第１ロータ（５）を備え、前記第１ロータ（５）は前記第１支持要素（９）に対して突き出されるように支持され、前記第１ロータ（５）は、前記第１支持要素（９）に対して反対側に面する第１前面（２１）を有し、
前記第２タービン（３）は、
第２ケース（１６）、前記第２ケース（１６）内に支持された第２シャフト（１５）、前記第２シャフト（１５）および前記第２ケース（１６）の間で径方向に入れられ、第２主軸（ｘ２）を中心として前記第２ケース（１６）に対して前記第２シャフト（１５）の自由回転を可能にするように構成された第２支持要素（１７）、第２ロータ羽根（Ｐ２）が設けられ、前記第２シャフト（１５）の遠位端部（１４）に接合された第２ロータ（１３）を備え、前記第２ロータ（１３）は前記第２支持要素（１７）に対して突き出されるように支持され、前記第２ロータ（１３）は、前記第２支持要素（１７）に対して反対側に面する第２前面（２２）を有し、
前記第１前面（２１）は前記第２前面（２２）と面し、前記第１主軸（Ｘ１）は前記第２主軸（Ｘ２）と実質的に整列され、
前記タービンセット（１）は、前記第１シャフト（７）から前記第２シャフト（１５）または前記第２シャフト（１５）から前記第１シャフト（７）に回転を伝達するように、前記第１前面（２１）および前記第２前面（２２）に連結された連結要素（４）を更に備え、
前記連結要素（４）は、少なくとも一つの弾性ジョイント（２４）を備え、前記弾性ジョイント（２４）は、互いにおける前記第１タービン（２）および前記第２タービン（３）のロータ動力学的影響を最小限に抑えるように構成される、タービンセット。
【請求項２】
前記連結要素（４）は、少なくとも一つの駆動シャフト（２３）を備え、前記駆動シャフト（２３）は、前記第１シャフト（７）および前記第２シャフト（１３）と実質的に整列される、請求項１に記載のセット。
【請求項３】
前記連結要素（４）は、２つの弾性ジョイント（２４）を備え、各々は、前記駆動シャフト（２３）の一端部に置かれる、請求項２に記載のセット。
【請求項４】
前記少なくとも一つ弾性要素（２４）は、撓みにおいて弾性を有する、請求項１〜３のいずれか一項に記載のセット。
【請求項５】
前記少なくとも一つの弾性要素（２４）は、牽引／圧縮において弾性を有する、請求項１〜４のいずれか一項に記載のセット。
【請求項６】
前記第１ケース（８）および前記第２ケース（１６）に連結されたケーシング（４５）を備え、前記連結要素（４）は、前記ケーシング（４５）内に含まれる、請求項１〜５のいずれか一項に記載のセット。
【請求項７】
前記ケーシング（４５）は、前記第１タービン（２）および／または前記第２タービン（３）を通過する作動流体の為に少なくとも一つの導管（５０）を区切る、請求項６に記載のセット。
【請求項８】
前記少なくとも一つの導管（５０）は、前記作動流体を、前記第１および／または第２タービン（２，３）に流入させる、又は、前記第１および／または第２タービン（２，３）から流出させる、流入／流出導管である、請求項７に記載のセット。
【請求項９】
前記少なくとも一つの導管（５０）は、前記第１ロータ（５）および前記第２ロータ（１３）を流体連通に設定する、請求項６に記載のセット。
【請求項１０】
前記ケーシング（４５）は、少なくとも一つの管状本体（４６，４７）を備え、前記管状本体（４６，４７）は、前記第１ケース（８）および前記第２ケース（１６）の間に延び、前記連結要素（４）と実質的に同軸である、請求項６〜９のいずれか一項に記載のセット。
【請求項１１】
前記ケーシング（４５）は径方向内部管状本体（４６）および径方向外部管状本体（４７）を備え、前記少なくとも一つの導管（５０）は、前記径方向内部管状本体（４６）および前記径方向外部管状本体（４７）の間で区切られる、請求項１０に記載のセット。
【請求項１２】
前記径方向内部管状本体（４６）は、前記連結要素（４）を囲む、請求項１１に記載のセット。
【請求項１３】
前記ケーシング（４５）は、前記作動流体を前記タービンセット（１）に流入させる流入口（５１）を有する、請求項６〜１２に記載のセット。
【請求項１４】
前記流入口（５１）は、前記作動流体を前記タービンセット（１）に流入させる中間口である、請求項１３に記載のセット。
【請求項１５】
前記第１タービン（２）および／または前記第２タービン（３）は、ラジアルタービン、軸流タービン、ラジアル／軸流タービンを含む群から選択される形式のタービンである、請求項１〜１４のいずれか一項に記載のセット。
【発明の詳細な説明】
【説明】
【０００１】
【発明の分野】
【０００２】
本発明の目的は、タービンセットおよびそのような少なくとも一つのセットを備えたタービン列である。
【０００３】
本発明は、電気エネルギを発生させる発電所の範囲に該当し、一つ又は複数のタービン用ロータを回転させて電気的エネルギにする、膨張する作動流体のエネルギを機械的エネルギに変換するように構成された膨張システムが意図される。
【０００４】
本発明は、複数のタービンによって構成されたシステムに関し、これらのタービンは、それらの整列されたシャフトと機械的に直列に連結されている。
【０００５】
【発明の背景】
【０００６】
二つ以上のタービンを用いた解決策を図示する幾つかの既知の文献が存在するが、そのシャフトは、互いに連結され、整列されたタービンの配列を実現している。
【０００７】
たとえば、文献WO2013/007463は、タービン列が設けられた発電システムを図示するが、そのロータは、直列配置に設定され、動作するように互いに発電機に結合されている。
【０００８】
文献US2174806は、一対のタービン（高圧タービン、低圧タービン）を図示する。
【０００９】
これらのタービンのロータは、整列され、継手によって連結されている。
【００１０】
文献FR928577は、２ストリーム式タービンを図示し、これらは、柔軟シャフトによって結合されている。
【００１１】
文献US5780932は、発電ユニットを図示し、この発電ユニットは、ガスタービン、複数のモジュールを有する蒸気タービン、発電機を備え、これらは、剛性継手によって連結された、それぞれのシャフトに対して、共通軸に沿って連続して装着されている。
【００１２】
文献GB492081は、発電システムを図示し、この発電システムは、高圧ガスタービン、低圧ガスタービンを備え、これらは、それぞれのシャフトにしっかりと連結された継手によって直列に連結されている。
【００１３】
文献EP0852660は、第１ガスタービン、発電機、低圧蒸気タービン、高圧蒸気タービン、第２ガスタービンを連続して備えたシステムを図示する。
【００１４】
文献US5737912は、ガスタービン群と、継手によってガスタービン群に結合された蒸気タービンとを備えた発電所を図示する。
【００１５】
文献US5042247は、剛性継手によって互いに接合された２区分から構成された蒸気タービンを備えたシステムを図示する。
【００１６】
文献GB929323は、回転部品の為の、特に、タービン−発電機セットの回転シャフトの為の柔軟継手を図示する。
【００１７】
同様に知られているのは特許第US2012/177494（EP2479377として公開）であり、これは、それぞれのロータホィールを備えた高温区域と、それぞれのロータホィールを備えた低温区域とを有する蒸気タービンのロータを図示するが、両方は異なる材料で形成されている。２つのロータホィールは、継手によって互いに直接相互連結されているが、継手は、以下のような２つの区域の相対的回転を防止する。軸方向に延びるボルトの周方向配列または盲孔に収容された小径部分、および径方向に向けられたボルト、またはネジ付き盲孔内にねじ込まれたねじ付きスタッド、または溝付きシート内に収容された溝付きスタッド。
【００１８】
最後に、文献WO2012/156520は、シャフトおよび、圧縮機、オイルポンプ、機械的または電気的付属物のような補助機器を有するガスタービンを備えたシステムを図示する。補助機器には、タービンシャフトに連結されるように構成された突き出されるシャフトが設けられる。柔軟ジョイントは、突き出されるシャフトおよびタービンシャフトの間に置かれる。
【００１９】
【概要】
【００２０】
この分野において、出願人は、タービン列に関する従来技術の解決策の幾つかの状況を改善できることに気づいた。
【００２１】
特に、出願人は、従来技術のタービン列が複雑かつ高価であり、なぜならば、列を作る個々のタービンは、シャフトを相互接続することを可能にするため、いずれの場合でも、「この目的のため」に設計されなければならないことに気づいた。各々の個々のタービンは、隣接した複数のタービン、タービン、発電機にシャフトの両端部を連結できるように、それぞれのケースからロータシャフトを引き出す為に工夫されなければならない。そのため、シャフトにシールを配置し、作動流体の漏れを防止する必要もある。
【００２２】
さらに、従来技術の複数のタービンの、しっかりした連結は、結合される複数のタービンが、他方に否定的影響を与える一方のロータ動力学を防止するように両方の特性を考慮しつつ、一緒に設計されなければならないことを暗示する。新たな用途毎にセットを設計するため、これには膨大な時間がかかる。
【００２３】
このように、出願人は、２つの新しいタービンセットを提案する必要性を察知した。
【００２４】
特に、出願人は、
【００２５】
・単純かつ信頼性の良い、比較的低コストを実現する為に一連の２つのタービンを連結する為の単純な解決策を得ること
【００２６】
・一つ又は複数の、そのようなセットから構成されるタービン列の実現を可能にし、同様に、他の従来技術のタービンとの組合せを可能にするタービンセットを得ること
【００２７】
出願人が見いだしたことは、前述した目的および他の目的が、突き出される形式の２つのタービンを備えたタービンセットであって、弾性ジョイントによってそれぞれのロータの自由側で連結されたタービンセットによって達成可能である点である。
【００２８】
より具体的には、独立形式の態様に従うと、本発明はタービンセットに関し、これは、第１タービンおよび第２タービンを備え、第１タービンは、第１ケースと、第１ケース内で支持された第１シャフトと、第１シャフトおよび第１ケースの間で径方向に入れられ、第１主軸を中心として第１ケースに対して前記第１シャフトの自由回転を可能にするように構成された第１支持要素と、第１ロータ羽根が設けられ、第１シャフトの遠位端部に接合された第１ロータと、を備え、前記第１ロータは、支持要素に対して突き出されるように支持され、前記第１ロータは、第１支持要素に対して反対側に面する第１前面を有し、第２タービンは、第２ケースと、第２ケース内に支持された第２シャフトと、第２シャフトおよび第２ケースの間で径方向に入れられ、第２主軸を中心として第２ケースに対して自由回転を可能にするように構成された第２支持要素と、第２ロータ羽根が設けられ、第２シャフトの遠位端部に接合された第２ロータとを備え、前記ロータは、第２支持要素に対して突き出されるように支持され、前記第２ロータは、第２支持要素に対して反対側に面する第２前面を有する。
【００２９】
第１前面は、第２前面と面し、第１主軸は、第２主軸と実質的に整列される。
【００３０】
タービン列は、更に連結要素を更に備え、この連結要素は、第１シャフトから第２シャフト、或いは、第２シャフトから第１シャフトに回転を伝達する為に第１前面および第２前面に連結される。
【００３１】
前記連結要素は、少なくとも一つの弾性ジョイントを備え、この弾性ジョイントは、互いにおける第１タービンおよび第２タービンのロータ動力学的影響を最小限に抑えるように構成されている。
【００３２】
第１および／または第２ロータは、前面および／またはそれぞれの、径方向周辺部分に、それぞれのロータ羽根を担持するロータディスクを備える。
【００３３】
２つのタービンの各々は、「突き出される」タービンである。用語「突き出される」は、ロータまたはロータディスクが、それぞれのシャフトの、ベアリングのような支持要素の全面に対して軸方向に置かれることを示す為に使用される。言い換えると、それぞれのタービンのロータまたはロータディスクは、前面の反対側に後面を有し、そこから、それぞれのシャフトが延び、前記後面は、それぞれのケース内でシャフトを支持する要素に面する。突き出されたタービンは、前面の前に他の支持要素が置かれない。
【００３４】
弾性があり、柔軟なジョイントは、２つのシャフトが僅かに不整列しているときでもトルクを伝達するために、２つのシャフト／ロータを連結する為に使用される装置である。弾性があり、柔軟なジョイントは、ねじれ振動の減衰も可能にする。連結要素は、第１ロータおよび第２ロータと一緒に回転し、それぞれの主軸の可能な不整列を吸収することができる。
【００３５】
用語「僅かに不整列」または「実質的に整列」は、軸が互いに対して数度だけ（例えば、約０．２°から約０．３°だけ）傾斜していること更に／又は前記軸が数ミリメートルだけ（例えば、約２ｍｍから約１０ｍｍだけ）の偏りで径方向にオフセットされていることを示す。
【００３６】
この説明および添付された特許請求の範囲において、形容詞「軸方向の」は、タービンの回転軸に対して平行に向けられた方向を定める為に使用される。形容詞「径方向の」は、回転軸から垂直に伸びる半径と同様に向けられた方向を定める為に使用される。形容詞「周方向の」は、回転軸と同軸の円周に接する方向を指すと理解される。
【００３７】
出願人が検証したことは、本発明が２つのタービンを非常に簡単に連結させることが可能であり、比較的単純かつ信頼性の良い低コストモジュールを作成することである。
【００３８】
出願人が検証したことは、２つのタービンを連結する弾性ジョイントが、個々のタービンのロータ動力学を切り離すことができ、そのため、ほとんど互いに影響を与えない点である。
【００３９】
出願人が検証したことは、２つの突き出されたタービンが、それぞれのロータディスクの前面で（即ち、ロータの自由面で）連結されるので、外部環境から処理を隔離する為に各シャフトに単一シールを配置することが可能である点である。
【００４０】
同様に出願人が検証したことは、互いに面する２つのタービンの突き出された構造が、セットを非常にコンパクトかつ簡単に組み込めるように、（２つのタービンを連結する作動流体の為の導管のような）セットの他の要素を収容するように２つのロータディスクの間の空間を利用する点である。
【００４１】
また、出願人が検証したことは、本発明に従うセットが、多数セットを組み合わせ、さらに／または、たとえ既知の形式（ラジアル、ラジアル／軸流の突き出された、または突き出されない）他のタービンを前記一つ又は複数のセットに加え、特定のプロジェクト要件に基づき非常に簡単にタービン列を構成することが可能である点である。
【００４２】
さらに、出願人が検証したことは、本発明のセット／モジュールが、単一の発電機において、多数のタービンの直列接続に適している点である。
【００４３】
第２態様において、本発明は、第１態様および／または以下の態様に従うタービンセットのうち少なくとも一つのセットを備えたタービン列に関する。
【００４４】
一態様において、前記少なくとも一つの弾性ジョイントは、撓みにおいて弾性を有する。好ましくは、前記撓みは、前記ジョイントが連結する剛性部品の傾斜が少なくとも０．２°、好ましくは約３°であることを許容する。
【００４５】
一態様において、前記少なくとも一つの弾性ジョイントは、牽引／圧縮において弾性を有する。好ましくは、この牽引／圧縮は、前記ジョイントが連結する剛性部品が、互いに、約＋／−５ｍｍだけ離れること／近づくことを可能にする。
【００４６】
一態様において、前記連結要素は、第１ロータおよび第２ロータの相対運動を可能にし、前記運動は、たとえば以下の運動から成る。互いに垂直な三軸に沿った並進運動および／または第１主軸および第２主軸とは異なる複数の軸を中心とした回転。
【００４７】
一態様において、第１主軸および／または第２主軸を中心とした回転（ねじれ）は、トルクの適切な伝達を可能にするように防止される。
【００４８】
一態様において、前記少なくとも一つの弾性ジョイントは、柔軟なディスク（またはラメラ）を有する形式の弾性ジョイントである。
【００４９】
一態様において、連結要素は、第１主軸および第２主軸に置かれる。
【００５０】
一態様において、連結要素は、第１ロータおよび第２ロータの、それぞれの中心に連結される。
【００５１】
一態様において、連結要素は、少なくとも一つの駆動シャフトを備える。一態様において、前記少なくとも一つの駆動シャフトは、第１シャフトおよび第２シャフトと実質的に整列される。
【００５２】
一態様において、連結要素は、２つの弾性ジョイントを備え、各々は、駆動シャフトの一端部に置かれる。弾性ジョイントは、駆動シャフトの両端部および第１ロータ及び第２ロータの中心に置かれる。
【００５３】
一態様において、セットは、第１ケースおよび第２ケースに連結されたケーシングを備える。
【００５４】
一態様において、連結要素は、前記ケーシング内に含まれる。
【００５５】
言い換えると、第１ケースおよび第２ケースを備えたケーシングは、単一の、密封された容器を形成し、この容器は、ロータ、シャフト、連結要素を含む。また、ケーシングは、作動流体を含み、作動流体は、第１ロータおよび／または第２ロータを通過する。好ましくは、連結要素は、作動流体に浸される。
【００５６】
一態様において、ケーシングは、第１タービンおよび／または第２タービンを通過する作動流体の為に少なくとも一つの導管を区切る。
【００５７】
ケーシングの機能は、連結要素を保護することだけでなく、作動流体の為の導管を区切ることである。また、これは、作動流体および外部環境の間で、２つのシャフトの各々に対して、たった一つのシールを配置することを可能にする。さらに、上記で特定されたように、連結要素は、前述したケーシングを通過／ケーシング内に残る作動流体に浸されるので、連結要素はシールを必要としない。
【００５８】
一態様において、前記少なくとも一つの導管は、第１ロータおよび第２ロータを互いに流体連通に設定する。このように実行されると、タービン間の導管の実現は、利用可能な空間の利用および当該セットのコンパクト化を可能にする。
【００５９】
一態様において、第１タービンおよび第２タービンは、作動流体の流れに関して並列に連結されている。
【００６０】
一態様において、第１タービンおよび第２タービンは、作動流体の流れに関して直列に連結されている。
【００６１】
言い換えると、プロセス／エネルギの観点から、２つのタービンの拡張は、並列または直列で可能である。並列連結により、より多くの質量流量を「処理」を可能にし、吐出時の体積流量制限を排除することができる。直列連結により、比エンタルピを高めること、そのため、流入部および流出部の間で高い体積比を達成することができる。さらに、直列連結は、蒸気の引出し（タッピング）または主な流入部の第２低圧供給（受け入れ）用の第２中間流入を可能にする。
【００６２】
一態様において、前記少なくとも一つの導管は、流入導管であり、作動流体を第１タービンおよび／または第２タービンに受け入れる。
【００６３】
一態様において、前記少なくとも一つの導管は、流出導管であり、作動流体を第１タービンおよび／または第２タービンから出させる。一態様において、前記少なくとも一つの導管は、流入導管であり、作動流体を第１ロータおよび第２ロータに受け入れる。
【００６４】
一態様において、前記少なくとも一つの導管は、作動流体を第１ロータに受け入れる為の流入導管であり、作動流体を第２ロータから流出させる為の流出導管であり、またはその逆である。一態様において、ケーシングは、作動流体をタービンセットに受け入れる為の流入口を有する。一態様において、ケーシングは、作動流体をタービンセットに受け入れる為の中間口を有する。一態様において、ケーシングは、作動流体をタービンセットから流出させる流出口を有する。
【００６５】
一態様において、ケーシングは、作動流体をタービンセットからタッピングする為の中間口を有する。
【００６６】
一態様において、ケーシングは、少なくとも一つの管状または実質的に管状本体を備え、これは、第１ケースおよび第２ケースの間に延び、連結要素と実質的に同軸である。
【００６７】
一態様において、ケーシングは、単一の管状または実質的に管状本体を備え、これは、第１ケースおよび第２ケースの間に延び、連結要素と実質的に同軸である。
【００６８】
一態様において、前記少なくとも一つの導管は、単一管状または実質的に管状本体と連結要素との間で区切られる。
【００６９】
一態様において、ケーシングは、径方向内部管状本体および径方向外部管状本体を備える。
【００７０】
一態様において、前記少なくとも一つの導管は、径方向管状本体および径方向外部管状本体の間で区切られる。
【００７１】
一態様において、径方向管状本体は、連結要素を囲む。
【００７２】
一態様において、ケーシングは、第１タービンの複数の第１ステータ羽根および／または第２タービンの複数の第２ステータ羽根を組み込み又は担持する。
【００７３】
一態様において、第１タービンおよび／または第２タービンは、それぞれのケース内のシートに収容された、又は、収容可能であり、それぞれの支持要素およびそれぞれのシャフトを含むスリーブを備える。
【００７４】
一態様において、それぞれのロータに対して向かい合う側で、それぞれのシートから、支持要素およびそれぞれのシャフトと共に前記スリーブを引き出すことができる。
【００７５】
一態様において、第１シャフトおよび／第２シャフトの近位端部および反対側の遠位端部は、それぞれの第１ケース／第２ケースから突出する。
【００７６】
一態様において、近位端部は、連結装置を備え、この連結装置は、好ましくは、他のタービンセット、または他のタービン、または発電機と接合できるように構成されている。
【００７７】
一態様において、第１タービンおよび／または第２タービンは、ラジアルタービン（遠心力利用および求心力利用）、軸流タービン、ラジアル／軸流タービンから選択される形式のタービンである。
【００７８】
一態様において、第１ロータおよび／または第２ロータは、ラジアル形式のものであり、それぞれの第１主軸／第２主軸と同心の少なくとも一つの環状配列に従う、それぞれの第１前面／第２前面に配置された第１ロータ羽根／第２ロータ羽根を備える。一態様において、第１ロータ羽根／第２ロータ羽根は、それぞれの第１前面／第２前面における多数の同心環状配列に従って配置されている。前記第１ロータ羽根／第２ロータ羽根は、それぞれの前面から軸方向に延びている。
【００７９】
一態様において、第１ロータ／第２ロータは、軸流形式のものであり、少なくとも一つの周方向配列に従うそれぞれのロータの径方向周辺部分に配置された複数の第１ロータ羽根／第２ロータ羽根を備える。一態様において、第１ロータ羽根／第２ロータ羽根は、それぞれのロータの径方向周辺部分で軸方向に離間された多数の周方向配列に従って配置されている。前記第１ロータ羽根／第２ロータ羽根は、それぞれの径方向周辺部分から径方向に延びている。
【００８０】
一態様において、第１ロータ／第２ロータは、ラジアル／軸流形式であり、それぞれの第１主軸／第２主軸と同心の少なくとも一つの環状配列に従って、それぞれの第１前面／第２前面に配置された複数の第１ラジアルロータ羽根／第２ラジアルロータ羽根と、少なくとも一つの周方向配列に従って、それぞれのロータの径方向周辺部分に配置された複数の第１軸流ロータ羽根／第２軸流ロータ羽根とを備える。
【００８１】
一態様において、タービン列は、少なくとも２つのセットを備える。
【００８２】
一態様において、前記２つのセットは、それぞれの第１シャフトまたは第２シャフトの近位端部で、互いに連結される。一態様において、発電機は、２つのセットの間に入れられる。一態様において、少なくとも一つの好ましい弾性ジョイントは、２つのセットの間に入れられる。
【００８３】
また、本発明は、電気エネルギを発生させる為の発電所、たとえば、本発明に従う少なくとも一つのセットおよび／または本発明に従うタービン列を備えたパワーステーションに関する。
【００８４】
更なる特徴および利点は、本発明に従うタービン列の、好ましいが限定されない実施形態の詳細な説明から明らかになる。
【図面の簡単な説明】
【００８５】
以下、添付された図面を参照して説明するが、これらは、おおよその、非限定的な実施例を提供する目的だけの為に提供される。
【図１】図１は、本発明に従うタービンセットを概略的に図示する。
【図２】図２は、本発明に従う多数セットを備えたタービン列を概略的に図示する。
【図３】図３は、タービン間を結合する第１形式の流体継手を持つ図１に見えるセットを図示する。
【図４】図４は、タービン間の異なる形式の流体継手を持つ図１に見えるセットを図示する。
【図５】図５は、本発明に従うセットを作るタービン間の連結要素の実施例を図示する。
【図６】図６は、図５の連結要素の一部である弾性ジョイントの実施例を図示する。
【図７】図７は、図１に見えるセットの第１実施形態を図示する。
【図８】図８は、図１に見えるセットの第２実施形態を図示する。
【図９】図９は、図１に見えるセットの第３実施形態を図示する。
【図１０】図１０は、図１に見えるセットの第４実施形態を図示する。
【図１１】図１１は、図１に見えるセットの第５実施形態を図示する。
【詳細な説明】
【００８６】
図面の参照において、本発明に従うタービンセットは、参照符合１によって全体的に表示されている。セット１は、第１タービン２および第２タービン３を備え、各々は、突き出された形式であり、それらは、連結要素４によって互いに連結されている。
【００８７】
図１，図２，図３，図４に概略的に示されるように、第１タービン２は、第１ロータ５を備え、第１ロータ５は、第１シャフト７の遠位端部６に接合されている。第１シャフト７は、第１ケース８（図１，図２，図３，図４には見えないが、図６−図１０に詳細に表示）内で２つの第１支持要素９（ベアリング）によって支持されるが、これらの第１支持要素９は、径方向において、第１シャフト７および第１ケース８の間に入れられ、第１ロータ５と共に、第１ケース８に対して第１主軸「Ｘ１」を中心とした前記第１シャフト７の自由回転を可能にするように構成されている。第１ロータ７の近位端部１０には、動力伝達の為に連結フランジが設けられている。連結フランジ１１は、連結装置を規定し、或いは、連結装置の一部であり、連結装置は、たとえば、他のタービン列１，または、知られた形式の他のタービン、または、発電機に対する接合を可能にするように構成されている。機械的シール１２は、第１ロータ５の近傍で第１シャフト７を囲んでいる。
【００８８】
同様に、第２タービン３は、第２ロータ１３を備え、第２ロータ１３は、第２シャフト１５の遠位端部１４に接合されている。第２シャフト１５は、第２ケース１６（図１，図２，図３，図４には見えないが、図６−図１０に詳細に表示）内で２つの第２支持要素１７（ベアリング）によって支持されるが、これらの第２支持要素１７は、径方向において、第２シャフト１５および第２ケース１６の間に入れられ、第２ロータ１３と共に、第２ケース１６に対して第２主軸「Ｘ２」を中心とした前記第２シャフト１５の自由回転を可能にするように構成されている。第２ロータ１３の近位端部１８には、動力伝達の為に連結フランジ１９が設けられている。連結フランジ１９は、連結装置を規定し、或いは、連結装置の一部であり、連結装置は、たとえば、他のタービン列１，または、知られた形式の他のタービン、または、発電機に対する接合を可能にするように構成されている。機械的シール２０は、第２ロータ３の近傍で第２シャフト１５を囲んでいる。
【００８９】
第１ロータ５および第２ロータ１３は、突き出されるように第１支持要素９および第２支持要素１７に対して支持され、ロータ５，１３のそれぞれの第１前面２１および第２前面２２は、支持要素から自由になったままである。前記第１前面２１および前記第２前面２２は、互いに面しており、第１シャフト７および第２シャフト１５は、実質的に整列しており、すなわち、第１主軸「Ｘ１」および第２主軸「Ｘ２」は、実質的に同心である。
【００９０】
連結要素４は、第１前面２１を第２前面２２に連結し、図示された実施形態において、駆動シャフト２３を備える。駆動シャフト２３の第３主軸「Ｘ３」は、第１シャフト７および第２シャフト１５と実質的に整列する。駆動シャフト２３の両端部は、それぞれの弾性ジョイント２４によって、第１ロータ５および第２ロータ１３に連結されている。
【００９１】
また、各々の弾性ジョイント２４は、それ自体が公知でもよい。
【００９２】
図５，図６に図示された実施形態において、弾性ジョイント２４は、柔軟なディスクまたは複数のディスクを有する形式のものである。図示された弾性ジョイント２４は、フランジ２５を備え、フランジ２５は、たとえば、ボルトによって、それぞれの第１ロータ５または第２ロータ１３にしっかりと連結される。フランジ２５は、第１環状縁部２７で終結する管状本体２６を担持する。第２環状縁部２８は、駆動シャフト２３の各端部の一部であるか、そこにしっかりと連結されている。形状が実質的に環状である一つ又は複数の柔軟ディスク２９は、第１環状縁部２７および第２環状縁部２８の間に置かれる。柔軟ディスク２７の表面は、主軸「Ｘ１」、「Ｘ２」、更に、駆動シャフト２３の軸に対して実質的に垂直である。第１環状縁部２７は、第１ボルトによって柔軟ディスク２９に連結され、第２環状縁部２８は、第２ボルト３１によって同一の柔軟ディスク２９に連結されている。第１ボルト３０は、第２ボルト３１と共に周方向に交互に配置されている。
【００９３】
２つの柔軟ジョイント２４の各々の柔軟ディスク２９は、駆動シャフト２３およびそれぞれのフランジ２５の間で限定された相対運動を許容する。たとえば、これらの相対運動は、互いに垂直な３軸に沿った並進運動、および／または第１主軸「Ｘ１」、第２主軸「Ｘ２」、第３主軸「Ｘ３」とは異なる複数の軸を中心とした回転から成る。第１主軸「Ｘ１」および／または第２主軸「Ｘ２」および／または第３主軸「Ｘ３」（捻れ）は、トルクの適切な伝達を可能にするため防止されるのが好ましい。
【００９４】
言い換えると、柔軟ディスクが、それらの平坦かつ変形していない構成に存在する平面に対して、前記ディスクは、前記平面の外側に湾曲／変形する。そのため、弾性ジョイントは、撓みおよび牽引／圧縮において曲がりやすさ（yielding）および弾性を有するが、捩りにおいては柔軟性および弾性がない。撓みは、前記ジョイントが連結する剛性部品の傾斜（たとえば、０．２°）を許容するようなものである。この牽引／圧縮は、前記ジョイントが連結する剛性部品が約＋／−５ｍｍだけ離れて／互いに向かって移動することを可能にするようなものである。
【００９５】
タービン列１は、第１シャフト７の連結フランジ１１および／または第２シャフト１５の連結フランジ１９によって一つ又は二つの発電機３２に単独で連結して使用することができる。
【００９６】
図２は、各々が列３３の一モジュールを構成する前述した形式の複数の列１を備えたタービン列３３を図示する。図示した実施形態において、タービン列３３は、第１対セット１および第２対セット１を備える。各対の各セットは、連結フランジ１１，１９の間に入れられた補助連結要素３４によって、他のセット１と連結されている。この補助連結要素３４は、前述した連結要素４と類似または同一でもよく、あるいは、剛性ジョイントでもよい。２つの対は、補助連結要素３４によって、単一発電機３２の向かい合ったシャフトに連結されている。
【００９７】
図３および図４は、当該セットの第１タービン列２および第２タービン列３の間の２形式の流体接続を図示する。図３において、第１タービン２および第２タービン３は並列に連結されている。作動流体は、共通の流入部を通って入り、２つのストリームに再分割され、各ストリームは、タービン２，３の一つに入っている。図４において、第１タービン２，および第２タービン３は、直列に連結されている。作動流体は、第２タービン３を最初に通過し、第２タービンを出て、第１タービン２を通過する。
【００９８】
当該セット１の第１実施形態は、より詳細に図７に図示されている。
【００９９】
図７は、第２タービン２の第１ケース８を示し、第１ケース８内に、第１シャフト７および第１ロータ５に収容されている。特に、第１シャフト７は、第１スリーブ３５に挿入され、第１支持要素９によって回転できるように支持されている。第１シャフト７の機械的シール１２は、第１スリーブ３５の、第１ロータ５に面する一端部に置かれ、それは、径方向において前記第１スリーブ３５および前記第１シャフト７の間に入れられている。
【０１００】
第１スリーブ３５は、第１ケース８内に設けられたシート３６に挿入され、それは、第１ケース８に固定されている。第１シャフト７の遠位端部６は、第１スリーブ３５から、更に機械的シール１２から外に突出し、第１ケース８の内側に突出している。第１シャフト７の近位端部１０および連結フランジ１１は、第１スリーブ３５から、同様に、第１ケース８から外に突出している。第１ロータ５に対して向かい合う側で、支持要素９および第１シャフト７と共に（第１ロータ５から切断した後）それぞれのシート３６から第１スリーブ３５を引き出すことができる。
【０１０１】
第１ケース８は、第１ロータ５の為に第１ハウジング空間３７と、第１ハウジング空間３７を囲む第１環状吐出空間３８とを区切る。第１吐出開口３９は、第１環状吐出空間３８を外部または適した循環路に連結する。
【０１０２】
第１タービン２は、遠心力利用のラジアル（アウトフロー）形式である。第１ロータ５は、作動流体の為の第１通過および膨張空間において、第１前面２１に配置された同心環状配列の第１ロータ羽根「Ｐ１」を備える。
【０１０３】
第１ロータ羽根「Ｐ１」の各々は、前縁部および後縁部が第１主軸「Ｘ１」に対して実質的に平行になるように、第１前面２１から離れるように延びている。
【０１０４】
図７は、第２タービン３の第２ケース１６を示し、第２ケース１６内には、第２シャフト１５および第２ロータ１３が収容されている。第２シャフト１５は、第２スリーブ４０に挿入され、第２支持要素１７によって回転できるように支持されている。第２シャフト１５の機械的シール２０は、第２スリーブ４０の、第２ロータ１３に面する一端部に置かれ、それは、径方向において前記第２スリーブ４０および前記第２シャフト１５の間に入れられている。
【０１０５】
第２スリーブ４０は、第２ケース１６内に設けられたシート４１に挿入され、それは、第２ケース１６に固定されている。第２シャフト１５の遠位端部１４は、第２スリーブ４１から、更に機械的シール２０から外に突出し、第２ケース１６の内側に突出している。第２シャフト１５の近位端部１８および連結フランジ１９は、第２スリーブ４０から、同様に、第２ケース１６から外に突出している。第２ロータ１３に対して向かい合う側で、支持要素１７および第２シャフト１５と共に（第２ロータ１３から切断した後）それぞれのシート４１から第２スリーブ４０を引き出すことができる。
【０１０６】
第２ケース１６は、第２ロータ１３の為に第２ハウジング空間４２と、第２ハウジング空間４２を囲む第２環状吐出空間４３とを区切る。第２吐出開口４４は、第２環状吐出空間４３を外部または適した循環路に連結する。
【０１０７】
第２タービン３は、遠心力利用のラジアル（アウトフロー）形式である。第２ロータ１３は、作動流体の為の第２通過および膨張空間において、第２前面２２に配置された同心環状配列の第２ロータ羽根「Ｐ２」を備える。
【０１０８】
第２ロータ羽根「Ｐ２」の各々は、前縁部および後縁部が第２主軸「Ｘ２」に対して実質的に平行になるように、第２前面２２から離れるように延びている。
【０１０９】
ケーシング４５は、第１ケース８および第２ケース１６の間に入れられ、それらを連結し、前記第１ケース８及び第２ケース１６と共に単一のボックス状収容体を形成する。
【０１１０】
図７に見えるケーシング４５は、駆動シャフト２３を囲む径方向内部管状本体４６と、径方向内部管状本体４６を中心として同軸に配置された径方向外部環状本体４７とを備える。
【０１１１】
ケーシング４５は、第１壁４８と、第２壁４９とを備え、第１壁４８は、径方向外部管状本体４７の第１端部を中心として径方向に延び、第１ケース８に連結され、前記第１ケース８の前方開口を閉鎖し、第２壁４９は、径方向外部管状本体４６の第２端部を中心として径方向に延び、第２ケース１６に連結され、前記第２ケース１６の前方開口を閉鎖する。
【０１１２】
第１ケース８の内側にある第１壁４８の一面は、同心環状配列の第１ステータ羽根「Ｓ１」を担持し、第１ステータ羽根「Ｓ１」は、環状セットの第１ロータ羽根「Ｐ１」と共に径方向に交互に配置されている。同様に、第２ケース１６の内側にある第２壁４９の一面は、同心環状配列の第２ステータ羽根「Ｓ２」を担持し、第２ステータ羽根「Ｓ２」は、環状配列の第２ロータ羽根「Ｐ２」と共に径方向に交互に配置されている。
【０１１３】
径方向最内部環状配列の第１ステータ羽根「Ｓ１」および径方向最内部環状配列の第２ステータ羽根「Ｓ２」は、径方向内部管状本体４６を径方向外部管状本体４７に連結する。そのため、径方向外部管状本体４７は、前記径方向最内部環状配列の第１ステータ羽根「Ｓ１」および第２ステータ羽根「Ｓ２」によって、径方向内部管状本体４６を支持する。
【０１１４】
径方向内部管状本体４６および径方向外部管状本体４７は、共に導管５０を区切り、導管５０は、実質的に円筒形状を有し、その両端部は、径方向最内部環状配列の第１ステータ羽根「Ｓ１」および第２ステータ羽根「Ｓ２」で終端する。
【０１１５】
流入口５１は径方向外部管状本体４７で画定され、それは、前記径方向外部管状本体４７の中心軸に垂直に延び、作動流体が導管５０に入ることを可能にする。流入口５１は径方向外部管状本体４７の軸方向中間領域に置かれ、入ってくる流体は２つのストリーム（径方向最内部ステータ羽根「Ｓ１」に向かう第１ストリーム、径方向最内部第２ステータ羽根「Ｓ２」に向かう第２ストリーム）に分かれる。第１ストリームは、膨張するとき、第１タービン２の第１ロータ５を径方向に通過するので、その回転を決定し、その後、第１環状吐出空間３８に入り、第１吐出開口３９を通って第１タービン２から流出する。第２ストリームは、膨張するとき、第２タービン３の第２ロータ１３を径方向に通過するので、その回転を決定し、その後、第２環状吐出空間４３に入り、第２吐出開口４４を通って第２タービン３から流出する。そのため、導管５０は、当該セット１の両方のタービン２，３において、作動流体の為の流入導管である。流体の流れに関し、第１タービン２および第２タービン３は、並列に連結されている。
【０１１６】
当該セット１の第２実施形態は、図８に図示されている。
【０１１７】
図８に見える当該セット１の第１タービン２は、前述された第１実施形態の第１タービン２と同一（参照符合は同一）であるので、以下、本書では更に詳細に説明しない。
【０１１８】
図８に見えるセット１の第２タービン３は、それがラジアルの遠心力利用（インフロー）形式タービンである点で、前述した第１実施形態における第２タービン３と異なる。第２ケース１６は、第２ハウジング空間４２を囲む環状流入空間５２を区切っている。流入開口５３は、環状流入空間５２を適した循環路と連結する。作動流体は、流入開口５３を通って第２タービン３に入り、環状入口空間５２に流入する。作動流体は、第１主軸「Ｘ１」に向かって径方向に移動し、膨張し、第２タービン３の第２ロータ１３を通過し、これによって、その回転を画定し、その後、径方向最内部第２ステータ羽根「Ｓ２」を通って、第１タービン２の径方向最内部第１ステータ羽根「Ｓ１」に向かって導管５０に流入する。
【０１１９】
この第２実施形態において、流入口５１は、中間受け入れ口を構成し、ここを通って、作動流体の追加ストリームが受け入れられる。この追加ストリームは、導管５０に入り、第２タービン３から入ってくる作動流体によって引き寄せられ、流入口５１の内部形状によって方向付けられ、また、第１タービン２の径方向最内部第１ステータ羽根「Ｓ１」に向かって流れる。作動流体、第２タービン３から来る流体および中間受け入れ口５１から来る流体の合計は、膨張するとき、第１タービン２の第１ロータ５を通過するので、その回転を決定し、その後、第１環状吐出空間３８に入り、第１吐出開口３９を通って第１タービン２から流出する。そのため、導管５０は、作動流体を第１ロータ５に受け入れる為の流入導管であり、それを第２ロータ１３から流出させる為の流出導管である。留意すべき点は、第２実施形態において、当該セット１の残っている要素は、図７に見える第１実施形態における要素と同一であり、これらの要素は同一の参照符合を有することである。流体の流れに関すると、第１タービン２および第２タービン３は、直列に連結されている。
【０１２０】
当該セット１の第３実施形態は、図９に図示されている。この場合も、当該セット１の、先の実施形態の要素と同一の要素は、同一の参照符合を有する。
【０１２１】
両方のタービン２，３が軸流形式のものである点で、第３実施形態は、先の実施形態と異なる。
【０１２２】
第１ロータ５は、第１ロータ５の径方向周辺部分、作動流体の為の第１通過及び膨張空間に配置された、周方向配列の第１ロータ羽根「Ｐ１」を備える。第１ロータ羽根「Ｐ１」は、径方向パターンで、第１主軸「Ｘ１」から離れるように延び、その前縁部および後縁部は、第１主軸「Ｘ１」と実質的に垂直になっている。
【０１２３】
第２ロータ１３は、第２ロータ５の径方向周辺部分、作動流体の為の第２通過及び膨張空間に配置された、周方向配列の第２ロータ羽根「Ｐ２」を備える。第２ロータ羽根「Ｐ２」は、径方向パターンで、第２主軸「Ｘ２」から離れるように延び、その前縁部および後縁部は、第２主軸「Ｘ２」と実質的に垂直になっている。
【０１２４】
ケーシング４５は、径方向内部管状本体４６を備え、径方向外部管状本体４７は、流入口５１と共に導管５０を区切るが、径方向に延びる第１壁および第２壁を持たない。
【０１２５】
第１実施形態および第２実施形態と異なり、周方向配列の第１ステータ羽根「Ｓ１」は、径方向外部管状本体４７の径方向内部表面に設けられている。前記第１ステータ羽根「Ｓ１」は、第１ロータ５に向かって径方向に延び、すなわち、第１主軸「Ｘ１」に向かって延び、それらは、第１ロータ羽根「Ｐ１」の周方向配列で径方向に交互に配置されている。導管５０に接している周方向配列の第１ステータ羽根「Ｓ１」は、径方向内部管状本体４６に連結され、それを支持している。同様に、周方向配列の第２ステータ羽根「Ｓ２」は、径方向外部管状本体４７の径方向内部表面に設けられている。前記第２ステータ羽根「Ｓ２」は、第２ロータ１３に向かって径方向に延び、すなわち、第２主軸「Ｘ２」に向かって延び、それらは、第２ロータ羽根「Ｐ２」の周方向配列で径方向に交互に配置されている。導管５０に接している第２ステータ羽根「Ｓ２」の周方向配列は、径方向内部管状本体４６に連結され、それを支持している。
【０１２６】
流入口５１を通って入る流体は、２つのストリーム（第１ステータ羽根「Ｓ１」および第１ロータ羽根「Ｐ１」に向かう第１ストリーム、第２ステータ羽根「Ｓ２」および第２ロータ羽根「Ｐ２」に向かう第２ストリーム）に分割される。第１ストリームは、第１タービン２の第１ロータ５を軸方向に通過し、膨張するとき、その回転を決定し、その後、第１環状吐出空間３８に入り、第１吐出開口３９を通って第１タービン２から流出する。第２ストリームは、第２タービン３の第２ロータ１３を軸方向に通過し、膨張するとき、その回転を決定し、その後、第２環状吐出空間４３に入り、第２吐出開口４４を通って第２タービン３から流出する。流体の流れに関すると、第１タービン２および第２タービン３は、並列に連結されている。
【０１２７】
当該セット１の第４実施形態は、図１０に図示されている。この場合も同様に、当該セット１の、先の実施形態の要素と同一の要素は、同一の参照符合を有する。
【０１２８】
この、当該セット１の第４実施形態は、作動流体が、直列の第１タービン２および第２タービン３を通過する点で（再び軸流形式である点で）、図９に見える第３実施形態とは異なる。さらに、径方向内部管状本体４６は存在せず、導管５０は径方向外部管状本体４７だけによって区切られている。
【０１２９】
第１ケース８は、第１ハウジング空間３７を部分的に囲む環状流入空間５２を区切っている。流入開口５３は、適した循環路に環状流入空間５２を連結する。
【０１３０】
作動流体は、流入開口５３を通って第１タービン２に入り、環状流入空間５２に流入する。軸方向に移動して膨張すると、作動流体は、第１ロータの第１ロータ羽根「Ｐ１」および第１ステータ羽根「Ｓ１」を通過するので、その回転を決定し、その後、導管５０に流入し、実質的に軸方向に移動して膨張し、第２ロータ１３の第２ロータ羽根「Ｐ２」およびステータ羽根「Ｓ２」を通過するので、その回転を決定する。この第４実施形態においても同様に、流入口５１は、中間受け入れ口を構成し、そこを通って、作動流体の、追加のストリームが受け入れられる。この追加のストリームは、導管５０に入り、第１タービン２から来る作動流体によって引き寄せられ、同様に第２タービン３に向かって流れる。作動流体、第１タービン２から来る流体および中間受け入れ口５１から来る流体の合計は、第２タービン３の第２ロータ１３を軸方向に通過するので、その回転を決定し、その後、第２環状吐出空間４３に入り、第２吐出開口４４を通って第２タービン３から流出する。
【０１３１】
当該セット１の第５実施形態は、図１１に図示されている。この場合も同様に、当該セット１の、先の実施形態の要素と同一の要素は、同一の参照符合を有する。
【０１３２】
この、当該セット１の第５実施形態は、第１タービン２が遠心力利用のラジアル形式であり、第２タービン３が軸流形式である点で、先の実施形態とは異なる。第１タービン２は、第１実施形態および第２実施形態（遠心力利用のラジアル、図７、図８）の第１タービン３に類似するが、第１環状吐出空間３８または第１吐出開口３９を持たない。第２タービン３は、前述した第３実施形態の第２タービン（図９）と実質的に同一である。
【０１３３】
ケーシング４５は、径方向内部管状本体４６と、流入口５１を備えた径方向外部管状本体４７とを備え、それらが導管５０を区切っている。導管５０は、第３実施形態と同様に（図９）第２タービン３に連結されている。導管５０は、第１ロータ５の、径方向最外部環状配列の第１ロータ羽根「Ｐ１」で第１タービン３に連結されている。
【０１３４】
ケーシング４５は、径方向内部管状本体４６に対して、径方向内部位置で、連結要素４を中心として置かれた補助部分５４を更に備える。補助部分５４は、径方向内部管状壁５５および径方向外部壁５６であって、環状流入空間５２および軸方向導管５７を区切るものを備える。パイプ５８は、環状流入空間５２と流体連通状態にあり、径方向内部管状本体４６および径方向外部管状本体４７を通過し、適した循環路に連結されるように構成された流入開口５３を通って当該セット１から出ている。
【０１３５】
補助導管５７は、環状流入空間５２から延び、第１ロータ５の、径方向最内部環状配列の第１ロータ羽根「Ｐ１」で終端している。第１タービン２の、径方向最内部環状配列の第１ステータ羽根「Ｓ１」は、ケーシング４５によって、この領域に置かれ、この領域で支持されている。ケーシング４５も、他の配列のステータ羽根「Ｓ１」を支持する。
【０１３６】
流入開口５３を通って受け入れられると、作動流体は、パイプ５８内で、環状流入空間５２の内側に流れる。作動流体は、補助導管５７を軸方向に通過し、その後、径方向に沿って反らされ、第１タービン２の第１ロータ５の第１ロータ羽根「Ｐ１」および第２ステータ羽根「Ｓ１」を径方向に通過し、膨張するとき、その回転を決定する。
【０１３７】
その後、作動流体は、導管５０に流入し、その後、軸方向に移動して膨張し、第２ロータ１３の第２ロータ羽根「Ｐ２」および第２ステータ羽根「Ｓ２」を通過するので、その回転を決定する。
【０１３８】
この第５実施形態においても同様に、流入口５１は、中間受け入れ口を構成し、そこを通って、作動流体の追加ストリームが受け入れられる。
【０１３９】
この追加ストリームは、導管５０に入り、第１タービン２から来る作動流体によって引き寄せられ、同様に、第２タービン３に向かって流れる。作動流体、第１タービン２から来る流体および中間受け入れ口５１から来る流体の合計は、第２タービン３の第２ロータ１３を軸方向に通過し、膨張するとき、その回転を決定し、その後、第２環状吐出空間４３に入り、第２吐出開口４４を通って第２タービン３から流出する。
【０１４０】
前述した全ての実施形態において、連結要素４は、ケーシング４５に含まれ、作動流体に浸される。駆動シャフト２３は、径方向外部管状本体４７および／または径方向内部管状本体４６と同軸である。第１ロータ５，第２ロータ１３の両方の中心は、ロータ羽根から自由であり、それぞれの弾性ジョイント２４のフランジ２５が設けられている。
【０１４１】
図示していない他の実施形態において、当該セット１のタービン２，３のうち少なくとも一つは、ラジアル／軸流形式のタービンであり、すなわち、それは、（図７，図８におけるように）それぞれの前面２１，２２に置かれた環状配列の第１ロータ羽根「Ｐ１」、第２ロータ羽根「Ｐ２」のうち少なくとも一つと、（図９，図１０におけるように）第１ロータ５／第２ロータ１３の径方向周辺部分に配置された周辺配列の第１ロータ羽根「Ｐ１」／第２ロータ羽根「Ｐ２」の少なくとも一つとを備えてもよい。図示していない他の実施形態において、ケーシング４５は、作動流体を当該タービンセット１から流出させる為の流出口および／または作動流体をタービン列１から引き出す為の中間口を有するように構成されてもよい。
【０１４２】
【要素のリスト】
【０１４３】
１…タービンセット、２…第１タービン、３…第２タービン、４…連結要素、５…第１ロータ、６…第１シャフトの遠位端部、７…第１シャフト、８…第１ケース、９…第１支持要素、１０…第１シャフトの近位端部、１１…第１シャフトの連結フランジ、１２…第１シャフトの機械的シール、１３…第２ロータ、１４…第２シャフトの遠位端部、１５…第２シャフト、１６…第２ケース、１７…第２支持要素、１８…第２シャフトの近位端部、１９…第２シャフトの連結フランジ、２０…第２シャフトの機械的シール、２１…第１前面、２２…第２前面、２３…駆動シャフト、２４…弾性ジョイント、２５…フランジ、２６…管状本体、２７…第１環状縁部、２８…第２環状縁部、２９…柔軟ディスク、３０…第１ボルト、３１…第２ボルト、３２…発電機、３３…タービン列、３４…補助連結要素、３５…第１スリーブ、３６…第１ケース用シート、３７…第１ハウジング空間、３８…第１環状吐出し空間、３９…第１吐出し開口、４０…第２スリーブ、４１…第２ケース用シート、４２…第２ハウジング空間、４３…第２環状吐出し空間、４４…第２吐出し開口、４５…ケーシング、４６…径方向内部管状本体、４７…径方向外部管状本体、４８…第１壁、４９…第２壁、５０…導管、５１…流入口、５２…環状流入空間、５３…流入開口、５４…補助部分、５５…径方向内部管状壁、５６…径方向外部管状壁、５７…補助導管、５８…パイプ、Ｘ１…第１主軸、Ｘ２…第２主軸、Ｘ３…第３主軸、Ｐ１…第１ロータ羽根、Ｐ２…第２ロータ羽根、Ｓ１…第１ステータ羽根、Ｓ２…第２ステータ羽根。
【図１】
2019525052.tif 000003
【図２】
2019525052.tif 000004
【図３】
2019525052.tif 000005
【図４】
2019525052.tif 000006
【図５】
2019525052.tif 000007
【図６】
2019525052.tif 000008
【図７】
2019525052.tif 000009
【図８】
2019525052.tif 000010
【図９】
2019525052.tif 000011
【図１０】
2019525052.tif 000012
【図１１】
2019525052.tif 000013
【国際調査報告】
2019525052.tif 000014
2019525052.tif 000015
2019525052.tif 000016